(57)【要約】【課題】磁気ヘッドのクリーニング専用テープを不要にする。【解決手段】一方の面６ａに磁性層を備え、もう一方の面６ｂにクリーニング層を備える磁気テープ６を巻回した単一のリール５と、このリール５を収納するカートリッジケース４と、この磁気テープ６の先端に取り付けられた磁気テープ引出部材７とを備えた単リール型磁気テープカートリッジ２と、この磁気テープ引出部材７と係合してこの磁気テープ６を巻き取るハブ８ａと、このハブ８ａの外周側に配置され、このハブ８ａの周りで回転するローディングリング９と、このローディングリング９に設けられ、この磁気テープ６を案内する複数のテープガイド１０と、複数のテープガイド１０間で張られた状態で走行するこの磁気テープ６の外周側に接触する磁気ヘッド１１とを備える。【選択図】      図  ２
2004342177.tif 000002
【特許請求の範囲】
【請求項１】
ベーステープの一方の面に磁性層を備え、他方の面にクリーニング層を備えたことを特徴とする磁気テープ。
【請求項２】
請求項１に記載の磁気テープと、この磁気テープを巻回した単一のリールと、前記リールを収納するカートリッジケースと、前記磁気テープの先端に取り付けられた磁気テープ引出部材とを備えたことを特徴とする単リール型磁気テープカートリッジ。
【請求項３】
請求項２に記載の単リール型磁気テープカートリッジに対し、データの記録または再生を行うための磁気テープドライブであって、
前記磁気テープ引出部材と係合して前記磁気テープを巻き取るハブと、
前記ハブの外周側に配置され、前記ハブの周りで回転するローディングリングと、
前記ローディングリングに設けられ、前記磁気テープを案内する複数のテープガイドと、
前記複数のテープガイド間で張られた状態で走行する前記磁気テープの外周側に接触する磁気ヘッドとを備え、
前記ローディングリングは、一方向に回転することで前記磁性層を外周側にして前記磁気テープを案内し、他方向に回転することで、前記クリーニング層を外周側にして前記磁気テープを案内するように構成したことを特徴とする磁気テープドライブ。
【発明の詳細な説明】
【０００１】
【発明の属する技術分野】
本発明は、磁気テープ及び磁気テープカートリッジ並びに磁気テープドライブに関する。
【０００２】
【従来の技術】
磁気テープドライブでは、磁気ヘッドと磁気テープが接触して磁気記録再生を行うため、磁気ヘッドに磁気テープから剥離した磁性層片等が付着するとともに、磁気ヘッドの他の部分と比較して軟らかい部分が優先的に磨耗して、偏摩耗が生じる。これらを放置しておくと、磁気テープドライブの記録再生性能が低下するという問題があった。
従来は、この問題を解決するために、専用のクリーニングカートリッジを使用して、磁気テープドライブの磁気ヘッドのクリーニングが行われていた（例えば、特許文献１参照）。
また、磁気テープは一方の面のみ、磁気記録再生に使用されていた。
【０００３】
【特許文献１】
特開２０００−５７５４１（段落番号〔０００２〕、〔０００３〕）
【０００４】
【発明が解決しようとする課題】
しかしながら、従来の技術では、磁気テープの一方の面のみ磁気記録再生に使用していたので、磁気テープの他方の面を有効に利用していなかった。また、従来のクリーニング方法では、専用のクリーニングテープを必要としていた。
【０００５】
そこで、本発明の課題は、磁気テープの磁気記録再生に使用しない面を有効に利用して、専用のクリーニングテープを不要にすることである。
【０００６】
【課題を解決するための手段】
前記課題を解決した本発明のうち請求項１に記載の磁気テープは、ベーステープの一方の面に磁性層を備え、他方の面にクリーニング層を備えたこととした。
【０００７】
請求項１に記載の発明によれば、ベーステープの一方の面に磁性層を備えるとともに他方の面にクリーニング層を備えることから、磁性層を備える面により磁気記録再生を行うことができるとともに、クリーニング層を備える面により磁気ヘッドのクリーニングを行うことができる。
【０００８】
請求項２に記載の単リール型磁気テープカートリッジは、請求項１に記載の磁気テープと、この磁気テープを巻回した単一のリールと、前記リールを収納するカートリッジケースと、前記磁気テープの先端に取り付けられた磁気テープ引出部材とを備えたこととした。
【０００９】
請求項２に記載の発明によれば、ベーステープの一方の面に磁性層を備えるとともに他方の面にクリーニング層を備える磁気テープを、磁気テープドライブに対して着脱することが容易となる。
【００１０】
請求項３に記載の磁気テープドライブは、請求項２に記載の単リール型磁気テープカートリッジに対し、データの記録または再生を行うための磁気テープドライブであって、前記磁気テープ引出部材と係合して前記磁気テープを巻き取るハブと、前記ハブの外周側に配置され、前記ハブの周りで回転するローディングリングと、前記ローディングリングに設けられ、前記磁気テープを案内する複数のテープガイドと、前記複数のテープガイド間で張られた状態で走行する前記磁気テープの外周側に接触する磁気ヘッドとを備え、前記ローディングリングは、一方向に回転することで前記磁性層を外周側にして前記磁気テープを案内し、他方向に回転することで、前記クリーニング層を外周側にして前記磁気テープを案内するように構成することとした。
【００１１】
請求項３に記載の発明によれば、ローディングリングを、一方向に回転することで磁性層を外周側にして磁気テープを案内して、磁性層を磁気ヘッドに接触させることができる。また、他方向に回転することで、クリーニング層を外周側にして磁気テープを案内して、クリーニング層を磁気ヘッドに接触させることができる。
【００１２】
磁気テープドライブは、ベーステープの両方の面に磁性層を備えた磁気テープと、この磁気テープを巻回した単一のリールと、前記リールを収納するカートリッジケースと、前記磁気テープの先端に取り付けられた磁気テープ引出部材とを備えた単リール型磁気テープカートリッジに対し、データの記録または再生を行うための磁気テープドライブであって、前記磁気テープ引出部材と係合して前記磁気テープを巻き取るハブと、前記ハブの外周側に配置され、前記ハブの周りで回転するローディングリングと、前記ローディングリングに設けられ、前記磁気テープを案内する複数のテープガイドと、前記複数のテープガイド間で張られた状態で走行する前記磁気テープの外周側に接触する磁気ヘッドとを備え、前記ローディングリングは、一方向に回転することで一方の磁性層を外周側にして前記磁気テープを案内し、他方向に回転することで、他方の磁性層を外周側にして前記磁気テープを案内するように構成することとした。
【００１３】
この磁気テープドライブによれば、ローディングリングを、一方向に回転することで一方の磁性層を外周側にして磁気テープを案内して、磁気テープの一方の磁性層を磁気ヘッドに接触させることができる。また、他方向に回転することで、他方の磁性層を外周側にして磁気テープを案内して、他方の磁性層を磁気ヘッドに接触させることができる。
【００１４】
【発明の実施の形態】
次に、適宜図面を参照しながら、本発明の実施の形態について説明する。図１は、実施の形態にかかる磁気テープドライブに単リール型磁気テープカートリッジを挿入した状態を示す斜視図である。図２は、図１の磁気テープドライブ及び単リール型磁気テープカートリッジの平面図である。
【００１５】
図１及び図２に示すように、単リール型磁気テープカートリッジ２は、先端部にリーダピン７を取り付けた磁気テープ６を巻回したカートリッジリール５と、このカートリッジリール５を収納するカートリッジケース４とからなる。ここで、カートリッジリールが特許請求の範囲の単一のリールに該当する。
【００１６】
磁気テープドライブ３は、装置リール８と、装置リール８の外周側に配置されたローディングリング９、９と、装置リール８の外周側に等間隔に配置された６本のテープガイド１０，１０・・・と、磁気ヘッド１１とからなる。
【００１７】
磁気テープ６は、その表面６ａの全面に磁性層を備え、裏面６ｂの全面にクリーニング層を備えている。表面６ａの磁性層は、従来公知の方法により形成される。また、裏面６ｂのクリーニング層も従来公知の方法により形成される。例えば、磁気テープ６の裏面６ｂに研磨剤を含む磁性層を塗布して、裏面６ｂにはカレンダ処理を行わないことにより、クリーニング層を形成することができる。
【００１８】
また、磁気テープ６の表面６ａの表面粗さは、磁気ヘッドによる磁気記録再生に支障が生じない範囲であれば良い。磁気テープ６の裏面６ｂの表面粗さは、磁気ヘッド１１に付着した磁性層片などを取り去ることができ、かつ、磁気ヘッド１１の偏磨耗を是正することができる範囲であれば良い。例えば、磁気テープ６の表面６ａの表面粗さとしてＲａ２〜４ｎｍ、裏面の表面粗さとしてＲａ５〜１０ｎｍが挙げられる。
【００１９】
リーダピン７は、磁気テープ６の先端部に取り付けられたピンである。リーダピン７は、磁気テープ６を磁気テープドライブ３の装置リール８に巻き取る際に、図示しない磁気テープローディング機構により、単リール型磁気テープカートリッジ２から引き出され、後述するハブ８ａの係合部８ｃに係合されることで、磁気テープ６の先端部をハブ８ａに連結するために用いられる。
【００２０】
装置リール８は、単リール型磁気テープカートリッジ２から送出される磁気テープ６を巻き取るために用いられるものであり、リーダピン７を係合する円柱形のハブ８ａと、このハブ８ａの上端と下端にハブ８ａの回転軸と垂直に設けられた円盤形のフランジ８ｂ、８ｂとからなる。また、装置リール８は、図示しない装置リール駆動装置により回転する。また、ハブ８ａは、リーダピン７と係合する係合部８ｃを有する。
【００２１】
ローディングリング９、９は、磁気テープ６を走行可能状態に誘導するためのリング状部材であって、６本のテープガイド１０，１０・・・の上端と下端を支持するように設けられている。また、ローディングリング９、９は、図示しないローディングリング駆動装置により、ハブ８ａの回転軸と同軸で正転方向（図中Ｌ方向）と逆転方向（図中Ｒ方向）に回転可能となっている。すなわち、ローディングリング９，９は、ハブ８ａの外周側で回転可能である。
【００２２】
テープガイド１０，１０・・・は、磁気テープ６を装置リール８に巻き取る際に磁気テープ６の走行を案内するためのものであり、円柱形の部材を、ローディングリング９上に等間隔で配置して構成されている。本実施の形態では、テープガイド１０，１０・・・は６本である。また、テープガイド１０，１０・・・は、その軸心を中心に回転してもよい。テープガイド１０，１０・・・が回転すると、案内する磁気テープ６とテープガイド１０，１０・・・との摩擦を少なくすることができる。
【００２３】
磁気ヘッド１１は、磁気テープ６の磁気記録再生に使用され、非稼動時は、テープガイド１０、１０・・・の外側に配置されており、磁気テープ６の磁気記録再生の際あるいは磁気ヘッドのクリーニングの際には、図示しない磁気ヘッド移動機構により、磁気テープ６の外周側の面に接触するように移動される。
【００２４】
次に、本発明の実施の形態にかかる磁気テープドライブの動作について説明する。図３は、実施の形態にかかる磁気テープドライブの動作を示す図であって、（ａ）は、磁気テープがハブに係合されている状態を示す平面図であり、（ｂ）と（ｃ）は、磁気記録再生の動作を示す平面図であり、（ｄ）と（ｅ）は、磁気ヘッドのクリーニング動作を示す平面図である。
【００２５】
磁気記録再生の動作について説明する。図３（ａ）に示すように、リーダピン７は、図示しない磁気テープローディング機構により引き出され、テープガイド１０ａ、１０ｂの間を磁気テープ６が通るようにハブ８ａの係合部８ｃに係合される。この状態で磁気テープの裏面６ｂはテープガイド１０ａに面し、磁気テープの表面６ａはテープガイド１０ｂに面している。次に、図３（ｂ）に示すように、ローディングリング９が、Ｌ方向（一方向）に回転し、テープガイド１０ａが位置Ａから位置Ｂまで移動する。このとき、テープガイド１０ａが磁気テープ６の裏面６ｂにあたり磁気テープ６の表面６ａを外側にして磁気テープ６を引き回すので、ローディングリング９の外周側が磁気テープ６の表面６ａになるように磁気テープ６が案内される。次に、図３（ｃ）に示すように、図示しない磁気ヘッド移動機構により磁気ヘッド１１が、位置Ｃまで移動し、磁気ヘッド１１が磁気テープ６の磁性層を有する表面６ａに接触する。そして、装置リール８がＲ方向に回転して、磁気テープ６を巻き取りながら、磁気記録再生が行われる。
【００２６】
次に、磁気記録または再生を行う前に、磁気ヘッドのクリーニングを行う動作について説明する。図３（ａ）に示すように、リーダピン７は、図示しない磁気テープローディング機構により、引き出され、テープガイド１０ａ、１０ｂの間を磁気テープ６が通るようにハブ８ａの係合部８ｃに係合される。この状態で磁気テープ６の裏面６ｂはテープガイド１０ａの側に面し、磁気テープ６の表面６ａはテープガイド１０ｂの側に面している。次に、図３（ｄ）に示すように、ローディングリング９が、Ｒ方向（他方向）に回転し、テープガイド１０ｂが位置Ｄから位置Ｅまで移動する。このとき、テープガイド１０ｂが磁気テープ６の表面６ａにあたり磁気テープ６の裏面６ｂを外側にして磁気テープ６を引き回すので、ローディングリング９の外周側が磁気テープ６の裏面６ｂになるように磁気テープ６が案内される。次に、図３（ｅ）に示すように、図示しない磁気ヘッド移動機構により磁気ヘッド１１が、位置Ｃまで移動し、磁気ヘッド１１が磁気テープ６のクリーニング層を有する裏面６ｂに接触する。そして、装置リール８がＬ方向に回転して、磁気テープ６を巻き取りながら、磁気ヘッド１１のクリーニングが行われる。
【００２７】
次に、磁気記録または再生が終了した後、磁気ヘッドのクリーニングを行う動作について説明する。磁気記録または再生が終了し、磁気テープ６がカートリッジリール５に巻き戻されると、図３（ａ）に示すように、装置リール８に巻き取られていない状態となる。この状態でテープガイド１０ａ、１０ｂの間を磁気テープ６が通るようにハブ８ａの係合部８ｃに係合され、磁気テープ６の裏面６ｂはテープガイド１０ａの側に面し、磁気テープ６の表面６ａはテープガイド１０ｂの側に面している。次に、図３（ｄ）に示すように、ローディングリング９は、Ｒ方向（他方向）に回転し、テープガイド１０ｂがＤ位置からＥ位置まで移動する。このとき、テープガイド１０ｂが磁気テープ６の表面６ａにあたり磁気テープ６の裏面６ｂを外側にして磁気テープ６を引き回すので、ローディングリング９の外周側が磁気テープ６の裏面６ｂになるように磁気テープ６が案内される。次に、図３（ｅ）に示すように、図示しない磁気ヘッド移動機構により磁気ヘッド１１が、位置Ｃまで移動する。そして、磁気ヘッド１１が磁気テープ６のクリーニング層を有する裏面６ｂに接触する。そして、装置リール８がＬ方向に回転して、磁気テープ６を巻き取りながら、磁気ヘッド１１のクリーニングが行われる。
【００２８】
以上のように、本発明の実施の形態では、１つのテープカートリッジで、磁気テープの磁気記録再生および磁気ヘッドのクリーニングを行うことができるため、専用のクリーニングテープを不要とすることができる。また、テープカートリッジを磁気テープドライブから排出する毎に、磁気ヘッドのクリーニングを行えば、磁気ヘッドに付着した磁性層片などや磁気ヘッドの偏磨耗に起因する記録再生性能の低下を予防することができる。
【００２９】
なお、本発明の実施の形態では、磁気テープの裏面の全面にクリーニング層を備えることとしているが、磁気テープの裏面の一部にのみクリーニング層を備えた磁気テープであってもよい。また、本発明の実施の形態では、磁気テープの表面には磁性層を備え、裏面にはクリーニング層を備えた磁気テープを使用したが、実施の形態にかかる磁気テープドライブは、磁気テープの両面に磁性層を備えた磁気テープを使用することができる。両面に磁性層を備えた磁気テープを使用すれば、磁気テープの両面で磁気記録再生を行うことができるため、記録容量を大幅に向上させることができる。
【００３０】
また、本発明の実施の形態では、リーダピンが特許請求の範囲の磁気テープ引出部材に該当するが、テープ状の磁気テープ引出部材など、磁気テープの先端部をハブに固定できるものであればよい。また、テープガイドの本数を６本としたが、これより多くても少なくても構わない。さらに、テープガイドの形状もピン形状に限らず、曲面を有する板状などでも構わない。
【００３１】
【発明の効果】
以上、詳述した通り、本発明の磁気テープ及び単リール型磁気カートリッジ並びに磁気テープドライブは、磁気ヘッドのクリーニング専用テープを不要にすることができる。
【図面の簡単な説明】
【図１】実施の形態にかかる磁気テープドライブに単リール型磁気テープカートリッジを挿入した状態を示す斜視図である。
【図２】図１の磁気テープドライブ及び単リール型磁気テープカートリッジの平面図である。
【図３】実施の形態にかかる磁気テープドライブの動作を示す図であって、（ａ）は、磁気テープがハブに係合されている状態を示す平面図であり、（ｂ）と（ｃ）は、磁気記録再生の動作を示す平面図であり、（ｄ）と（ｅ）は、磁気ヘッドのクリーニング動作を示す平面図である。
【符号の説明】
２    単リール型磁気テープカートリッジ
３    磁気テープドライブ
４    カートリッジケース
５    カートリッジリール
６    磁気テープ
６ａ  磁気テープの表面
６ｂ  磁気テープの裏面
７    リーダピン
８ａ  ハブ
９    ローディングリング
１０  ガイド
１１  磁気ヘッド
【図１】
2004342177.tif 000003
【図２】
2004342177.tif 000004
【図３】
2004342177.tif 000005